(57)【要約】      （修正有）【課題】天然抗菌性物質である松脂が含有された液体松脂を纎維織物生地や不織布生地または縫製完成された纎維製品に吸着する技術の提供。【解決手段】液体松脂３０を収容する収容容器８０と、液体松脂３０の投与量を調節する液体調節器１００と、収容容器８０と連動して液体松脂３０を噴射する密閉噴射装置９０と、液体松脂３０に含有されたエタノール１１０を蒸発させるための冷温送風装置１２０とをさらに含むことができ、液体松脂３０の原料が天然又は合成纎維織物生地１０又は不織布生地２０に吸着される松脂吸着装置。【選択図】図１
2018066090.tif 000002
【特許請求の範囲】
【請求項１】
天然または合成纎維織物生地（１０）または不織布生地（２０）をかけておく生地掛けローラー（５０）、生地を巻いておく回転ローラー（６０）、生地を移送する生地移送装置の移送ローラー（７０）及び生地が密閉噴射通過する時にこれを感知する作動センサー（８５）を含む松脂吸着施設（４０）を備える松脂吸着装置において、
液体松脂（３０）を収容する収容容器（８０）、液体松脂（３０）の投与量を調節する液体調節器（１００）、収容容器（８０）と連動して液体松脂を噴射する密閉噴射装置（９０）及び液体松脂（３０）に含有されたエタノール（１１０）を蒸発させるための冷温送風装置（１２０）をさらに含み、前記液体松脂（３０）の原料が天然または合成纎維織物生地（１０）または不織布生地（２０）に吸着されることを特徴とする松脂吸着装置。
【請求項２】
手動式噴射器（２２２）をさらに含み、液体松脂（３０）を手動でスプレー噴射することを特徴とする請求項１に記載の松脂吸着装置。
【請求項３】
纎維織物生地（１０）または不織布生地（２０）全体を収容容器（８０）に挿入して液体松脂が全部吸着されることを特徴とする請求項１に記載の松脂吸着装置。
【請求項４】
前記液体松脂が吸着される纎維生地（５００）は黄砂防止用、医療用、衛生用、防衛用マスク製品、空気清浄機、浄水器、家庭用エアコン、自動車用フィルター製品、化粧品マスクパックなどのための顔シート製品、サニタリーナプキン、乳児及び年寄りのオムツ、絆創膏、ガーゼ包帯、及び肌に貼るパスの纎維パッド製品を含むことを特徴とする請求項１に記載の松脂吸着装置。
【請求項５】
両面噴射装置（３０８）をさらに含み、液体松脂（３０）を両面でスプレー噴射することを特徴とする請求項１に記載の松脂吸着装置。
【請求項６】
松の木の生松香（８００）またはテルペン油（９００）を前記液体松脂（３０）に添加して、松の木の生松香と生地の粘りを調節することを特徴とする請求項１に記載の松脂吸着装置。
【請求項７】
縫製完成された纎維製品（３００）をかけておくための製品掛け（３０７）と、縫製完成された纎維製品（３００）を巻いておく回転ローラー（６０）と、縫製完成された纎維製品（３００）を移送する移送装置の移送ローラー（７０）と、縫製完成された纎維製品（３００）が密閉噴射通過する時、これを感知する作動センサー（８５）とを含む松脂吸着施設（４０）を備える松脂吸着装置において、
液体松脂（３０）を収容する収容容器（８０）と、液体松脂（３０）の投与量を調節する液体調節器（１００）と、収容容器（８０）と連動する液体松脂を噴射する密閉噴射装置（９０）と、液体松脂（３０）に含有されたエタノール（１１０）を蒸発させるための冷温送風装置（１２０）とをさらに含み、前記液体松脂（３０）の原料が縫製完成された纎維製品（３００）に吸着されることを特徴とする松脂吸着装置。
【請求項８】
手動式噴射器（２２２）をさらに含み、液体松脂（３０）を手動でスプレー噴射することを特徴とする請求項７に記載の松脂吸着装置。
【請求項９】
縫製完成された纎維製品（３００）全体を収容容器（８０）に挿入して液体松脂が全部吸着されることを特徴とする請求項７に記載の松脂吸着装置。
【請求項１０】
前記縫製完成された纎維製品（３００）はマスク製品（２００）、フィルター製品（３３０）、化粧品マスクパックの顔シート製品（３０５）、纎維パッド製品（８８８）及び多様な壁紙製品（９９９）を含むことを特徴とする請求項７に記載の松脂吸着装置。
【請求項１１】
両面噴射装置（３０８）をさらに含み、液体松脂（３０）を両面でスプレー噴射することを特徴とする請求項７に記載の松脂吸着装置。
【請求項１２】
松の木の生松香（８００）またはテルペン油（９００）を前記液体松脂（３０）に添加して、松の木の生松香と生地の粘りを調節することを特徴とする請求項７に記載の松脂吸着装置。
【請求項１３】
天然または合成纎維織物生地（１０）や不織布生地（２０）または縫製完成された纎維製品（３００）をかけておく段階と、生地や縫製完成された纎維製品（３００）を巻いておく段階と、生地や縫製完成された纎維製品（３００）を移送する段階と、生地や縫製完成された纎維製品（３００）が密閉噴射通過する時にこれを感知する段階とを含む松脂吸着方法において、
液体松脂を収容容器（８０）に収容する段階と、液体松脂（３０）の投与量を調節する段階（１００）と、収容容器（８０）と連動して液体松脂を噴射する段階（９０）と、液体松脂（３０）に含有されたエタノール（１１０）を蒸発させる段階（１２０）とをさらに含み、前記液体松脂（３０）の原料が天然または合成纎維織物生地（１０）や不織布生地（２０）または縫製完成された纎維製品（３００）に吸着されることを特徴とする松脂吸着方法。
【請求項１４】
手動式噴射器（２２２）によって液体松脂（３０）を手動でスプレー噴射する段階をさらに含むことを特徴とする請求項１３に記載の松脂吸着方法。
【請求項１５】
纎維織物生地（１０）や不織布生地（２０）または縫製完成された纎維製品（３００）全体を収容容器（８０）に挿入して液体松脂が全体吸着されることを特徴とする請求項１３に記載の松脂吸着方法。
【請求項１６】
前記液体松脂が吸着される纎維生地（５００）は、黄砂防止用、医療用、衛生用、防衛用マスク製品、空気清浄器、浄水器、家庭用エアコン、自動車用フィルター製品、化粧品マスクパックなどのための顔シート製品、サニタリーナプキン、乳児及び年寄りオムツ、絆創膏、ガーゼ包帯、及び肌に貼るパスの纎維パッドの製品を含むことを特徴とする請求項１３に記載の松脂吸着方法。
【請求項１７】
両面噴射装置（３０８）によって液体松脂（３０）を両面でスプレー噴射する段階をさらに含むことを特徴とする請求項１３に記載の松脂吸着方法。
【請求項１８】
松の木の生松香（８００）またはテルペン油（９００）を前記液体松脂（３０）に添加して、松の木の生松香と生地の粘りを調節することを特徴とする請求項１３に記載の松脂吸着方法。
【請求項１９】
前記縫製完成された纎維製品（３００）はマスク製品（２００）、フィルター製品（３３０）、化粧品マスクパックの顔シート製品（３０５）、纎維パッド製品（８８８）、及び多様な壁紙製品（９９９）を含むことを特徴とする請求項１３に記載の松脂吸着方法。
【発明の詳細な説明】
【技術分野】
【０００１】
本発明は吸着技術に関し、特に、天然抗菌性物質である松脂が含有された液体松脂を纎維織物生地や不織布生地または縫製完成された纎維製品に吸着する技術に関する。
【背景技術】
【０００２】
一般に、合成織物または天然木花純綿、シルク、パルプ纎維織物や合成、天然パルプ木花純綿の不織布纎維生地の原糸を製造する際に機能性合成物を添加して纎維原糸を製造するか、製造された纎維製品に合成機能性物質をコーティングして抗菌性及び機能性を高めた繊維類製品が開発されて来た。
【０００３】
従来は衣類やマスク纎維生地を製造する時に抗菌性を有する合成纎維生地を製造して衣類や特にマスク製品を製造完成した後、消毒剤を添加してマスクを製造しており、人工または天然纎維製品に添加された消毒剤は時間がたつにつれて蒸発されて効果が喪失される問題があった。
【０００４】
一方、本発明の従来技術として、銀杏から抽出された天然エキス成分が担持されたことを特徴とする特許文献１（エアフィルター及びこれを利用した空気処理装置及び方法（国際公開第ＷＯ２００６／０１１５４１号（２００６年２月２日公開）））及び特許文献２（自然親和素材を利用したエンボシング壁紙の製造方法（韓国公開特許第１０−２０１３−００２２２２９２号（２０１３年３月６日公開）））が公開されている。
【０００５】
また、本発明人により発明した特許文献３（「親環境化粧品材料の油性松脂液体または水性松脂液体製造方法」（韓国登録特許第１０−１２５４１３７号（登録日２０１３年４月８日）））が登録されている。
【先行技術文献】
【特許文献】
【０００６】
【特許文献１】国際公開第ＷＯ２００６／０１１５４１号
【特許文献２】韓国公開特許第１０−２０１３−００２２２２９２号公報
【特許文献３】韓国登録特許第１０−１２５４１３７号公報
【発明の概要】
【発明が解決しようとする課題】
【０００７】
天然松脂物質の特性として、本発明が属する技術分野における技術者は天然松脂は他の物質に栄養を与えないで松脂に微生物や細菌などが接触されても細菌が生存することができないということが分かる。それにより、天然抗菌性物質として昆虫や植物の微生物の各種菌体が侵犯しても松脂は変質しなく、汚染された環境でもピトンチド成分が含有されて長い間土の中で変質されずに（カボチャ）宝石になり、松脂には基本的に樹木が有する害虫防御物質であるフィンチッドが発生されて良くない臭いを奪取させる天然化学成分を有していることに注目すべきである。
【０００８】
また、従来の合成織物または天然木花純綿、シルク、パルプ纎維織物や合成、天然パルプ木花純綿の不織布纎維生地の原糸を製造する際に機能性合成物を添加して纎維原糸を製造するか、製造された纎維製品に合成機能性物質をコーティングして抗菌性及び機能性を高めた繊維類製品が開発されて来た。このような纎維生地及び不織布生地を利用して衣類、抗菌フィルター、抗菌マスクなどを製造し、このような製品は医療、産業、衛生、防衛用に用いられることが分かる。
【０００９】
また、従来技術において、完成された製品に人工香りや消毒剤を投与しただめ、消毒においに対する拒否感があり、吐き気がするなどの不便があった。さらに、人工消毒剤成分は空気中に露出されると成分が早く蒸発されて抗菌効果が喪失されるという問題があった。
【００１０】
また、天然または合成纎維の纎維織物生地や不織布纎維生地を利用してマスク製品、水、空気浄化用フィルター製品、化粧品マスクパックのドライ肌用顔シート、産業施設の滑り止め用纎維シート製品を製造する時に消毒剤を製品に投与して包装する場合、消毒剤を入れすぎると人体に害になり、少なすぎると細菌を防御することができないという問題があった。
【００１１】
また、空気浄化用フィルター、自動車用空気浄化器、室内、室外、自動車エアコンフィルター、その他製品やマスク製品に投与された消毒剤は、製品使用時に、例えば、包装紙を封切りして顔にマスクをすれば、空気中に放射蒸発されて消毒がまともにできないという問題があった。
【００１２】
また、マスク纎維生地の纎維間隔の密度があまりにも細密でマスクの着用時に空気が稀薄で息苦しくなり、口から吐き出す湿度によって息苦しく、マスク内部の湿度により、顔に肌疾患を誘発する虞がある。
【００１３】
さらに、最近、環境問題となる微細な黄砂は、埃密度が微細で、小さい織物空間を通じて呼吸器官に入るため健康に有害である。このような問題を解決するために開発された最近のマスク、空気浄化器、エアコンフィルターは纎維織物の組織密度が緻密な不織布生地材質を利用してフィルターを製造する際に用いられることが分かる。
【００１４】
一方、松脂成分は国際化粧品原料集に登載された安定性が立証された天然原料として、顔肌の改善に役に立つ製品を提供することができ、また、松脂は多くの産業製品に適用可能な人体健康に安全性が立証された天然物質であることに注目すべきである。また、松脂を液体化して生地に投与すると、松脂特有のべたつきにより生地に異物が付き、生地が互いに絡み合い、手や顔にべたつく松脂が付いて製品として用いることができないことに注目すべきである。
【００１５】
それにより、本発明は、液体松脂原料の粘りを調節して、生地を多重重ねて液体松脂を吸着しても生地が互いに粘りついたりべたつきが全くなく、湿度のない松脂吸着技術を提供する。さらに、例えば、マスクの場合、口から暖かい息を吐く時、常温湿度によりマスクに粘りが若干発生されることができる松脂吸着技術を提供する。
【００１６】
また、本発明は、松脂に含有されたテルペン油の精油の含有量によって絡み合ったり分離可能にして、液体松脂原料の粘りを調節して製造された液体松脂を纎維生地やフィルター生地に吸着させる場合、べたつかないで湿気がなく、生地を多重に合わせて松脂を吸着しても生地が互いに絡み合わないで、独立的に分離させることができる液体松脂吸着技術を提供する。
【００１７】
また、本発明は、松脂とエタノールによって製造された液体松脂は、追加されるテルペン油の含有割合によって生地の分離が可能であり、松脂でテルペン油を蒸発させ、固体の松脂で構成された松脂を利用し、溶媒剤としてエタノールで松脂を溶解させて製造されることができる液体松脂吸着技術を提供する。
【課題を解決するための手段】
【００１８】
本発明の松脂吸着技術は、天然纎維または合成纎維生地またはフィルター用不織布生地を利用して液体松脂を生地に吸着させる松脂吸着施設装置と連動される施設装置に生地をかけておく生地掛けローラー構成と、反対側は完成された生地を巻いておく回転ローラー装置を構成する。また、生地移送装置のローラーが複数構成され、液体松脂を収容する収容容器と生地に液体松脂を吸着する技術として、液体松脂噴射装置を液体松脂収容容器と連動して構成され、噴射装置は生地のみ挿入可能な密閉式に構成され、噴射後残余液体が収容容器に再挿入可能な構造に構成され、液体投与量調節器を連動するように装着し、液体松脂に含有されたエタノール蒸発のための送風装置を複数構成する。
【００１９】
纎維生地を生地掛けローラーに装着し、生地が松脂液体収容容器に投入されて生地に松脂を吸着させ、回転ローラーによって松脂吸着生地が圧縮ローラーによって加圧されて生地に吸着された松脂液を排出させ、排出された松脂液体は松脂収容容器に再挿入して圧縮ローラーを通過した松脂吸着生地は送風移送装置と乾燥装置を経過して松脂吸着生地を製造完成する。
【００２０】
また、本発明の他の液体松脂吸着技術は、回転ローラーを構成し、生地を回転ローラーの間に挟んで生地を通過させて液体松脂を噴射する密閉噴射器に移送装置によって生地を移送すれば、作動センサーが感知して噴射装置の密閉噴射器で生地の通過時に液体調節器による噴射投与量を調節して生地に松脂を吸着させ、連動される送風装置によって風で生地の松脂に含有されたエタノール成分を蒸発して完成される。
【００２１】
また、本発明の他の液体松脂吸着技術は、縫製完成された纎維製品に松脂を吸着する技術は、マスク製品やフィルター製品に加工された空気浄化、水、産業、エアコン、フィルター製品に製造された製品を松脂吸着施設装置に製品掛けを構成して製品をかけて装着し、自動移送ローラーによって松脂吸着施設装置の密閉式両面噴射装置によって纎維製品の両方に液体松脂を噴射して纎維製品に松脂を吸着させ、連動する送風装置に自動に移送して、送風装置の力強い風によって液体松脂に含有されたエタノールと水分を蒸発して完成される。
【００２２】
また、本発明によって、多重に合わせて製造される纎維製品も生地の間が絡み合わないで生地が独立的に分離されて多様な纎維製品に適用することができる技術で完成された纎維製品に天然抗菌性松脂を吸着して細菌増殖防止に役に立つ纎維製品松脂吸着製造技術を提供する。
【００２３】
また、本発明による他の製造技術は、液体松脂を収容容器に収容し、手動式スプレー噴射器を利用して纎維織物生地や不織布生地または縫製完成された纎維製品に液体松脂を手動でスプレー噴射して製造される手動式松脂吸着纎維生地と松脂吸着纎維製品製造技術を提供する。
【発明の効果】
【００２４】
液体松脂の原料が吸着された天然または合成纎維織物生地や不織布生地または縫製完成された纎維製品などを提供することができる。
【図面の簡単な説明】
【００２５】
【図１】本発明によって纎維織物生地または不織布生地に松脂吸着のための技術の一例を示す図面である。
【図２】本発明によって纎維製品に松脂吸着のための技術の一例を示す図面である。
【発明を実施するための形態】
【００２６】
本発明によって、液体松脂製品を主原料として追加される松葉の自然香を生松葉を圧着抽出し、松脂と松葉香の抽出溶媒剤としてエタノールを利用して松葉に投与して混合した後、１日〜１０日間沈澱した松葉香成分を抽出し、液体松脂原料に５〜１０％の松葉香を添加して配合し、松香が提供された液体松脂を得ることができる。また、生地の粘りを調節するために、テルペン油を１〜５％添加配合して、松脂特有の粘りを調節することができる粘り調節可能な液体松脂を得ることができる。このように形成された液体松脂を製造纎維生地に吸着させて天然抗菌性を有する松脂が吸着されることができる。
【００２７】
また、本発明によって、液体松脂をスプレー噴射装置を通じて纎維生地に投与して吸着させ、送風装置を通じて生地に投与された液体松脂のエタノールを蒸発させると、生地に松脂成分のみ塗布されて湿度やべたつきがなく、生地が糊付けしたようにぱりっとして湿度がなくよく乾かして広げられ、生地の纎維の間の空間を満たさないで、自由に空気の吸入及び排出が可能な松脂吸着生地を提供することができる。
【００２８】
本発明によって得られた松脂吸着纎維生地は、空気の流入及び排出がよく、マスクの製造時に使用されて口から吐く湿度が発生されると、松脂成分が含有された生地の纎維組職の間の空間に粘りが発生されて微細な黄砂ほこりが纎維の間の空間に浸透することができなく、黄砂と混合された各有害菌は松脂粘りにくっつくようになれば、松脂に含有された松脂自らの防御物質成分のピトンチド成分が有害菌の増殖を防止して殺菌する成分があって安定的であり、肌を改善する成分が含有されて、マスクの使用時に湿度による顔肌の改善にも役に立つ。
【００２９】
また、松脂は松の木で生成される物質で、樹木が自己保護のための害虫防御物質フィンチッド成分を有し、頭が冴える成分と肌保護物質など人体に有益な天然成分を有する。松の木は人体に最も安全な樹木で、昔から薬用として飲用して来たし、近来には天然化粧品原料と医療用製薬としても開発されている。
【００３０】
また、松脂吸着纎維生地は、空気浄化器、浄水器、自動車エアコンの抗菌フィルター用として用いることができ、衛生用マスク、医療用マスク、産業用マスク、黄砂マスク、マスクパック用顔シート紙の製造に用いられ、また他の方法として、マスクの製造時にマスクの内部に切断された松脂吸着生地の一部をフィルターとして挿入してマスクを製造することもできる。
【００３１】
松脂成分が含有された生地は、抗菌性天然物質を利用してマスク製品として、衛生用マスク、医療用マスク、産業用マスク、黄砂用マスク、防衛用マスク製品の製造やフィルター製品として、空気浄化フィルター、産業用フィルター、浄水器フィルター、自動車空気浄化器フィルター、エアコンフィルター製品と、乳児及び年寄り用おむつ製品と、乳児用ガーゼ製品として絆創膏、包帯、マッサージ医療用シートなどを製造する際に用いることができ、松脂は天然素材として、人体に無害で、抗菌性があり、においを取り除く脱臭効果及び天然松の木の松葉香は頭をさわやかにする効果がある。
【００３２】
松脂吸着纎維生地は松脂液体が生地に吸着されていて、成分が空気や湿度に蒸発されないで、水で洗濯しても一定期間の間纎維生地に松脂成分が残っていて抗菌効果が長く保持される特徴と、特に松脂成分が含有された纎維生地や纎維製品で製造されるマスク製品は織物組職密度間隔が大きい生地を用いて製造することにより、マスクを装着すると呼吸が楽であり、口で発生する暖かい湿度は松脂特有の粘りを発生させて微細な黄砂が吸入される際に松脂の粘りにより微細ほこりを遮断する効果がある。それにより、黄砂の吸入を低減させる効果、及び松脂液体の粘りに付いた有害細菌の増殖が防止され、松脂は殺菌成分も有する。
【００３３】
例えば、化粧品のマスクパック用顔シートを製造する際に用いれば、ドライ肌に適する油性成分を保持することができて、肌の改善に効果的であり、纎維パッド製品として、サニタリーナプキン、乳児及び年寄り用のオムツ製品、絆創膏、肌に貼るパス、ガーゼ包帯などの纎維空気浄化器、浄水器、エアコンのフィルターに天然抗菌性を含んで、細菌の増殖を防止することができる健康産業に役に立つ。
【００３４】
以下、本発明の好ましい実施例は添付された概略的な図面を参照してより詳しく説明する。添付された図面は本実施例の原理を説明するために提供された説明とともに本実施例の追加的理解のために含まれている。本発明は本実施例に制限されない。
【００３５】
以下、本発明の一実施例を図面を参照して詳しく説明する。以下の説明において、公知された機能及び構成の一部詳細な説明は簡潔のめに省略されることができる。
【００３６】
図１は本発明による松脂吸着技術の一実施例を示す。図１によれば、松脂吸着装置は、天然または合成纎維織物生地１０または不織布生地２０をかけておく生地掛けローラー５０、生地を巻いておく回転ローラー６０、生地を移送する生地移送装置の移送ローラー７０、及び生地が密閉噴射通過時にこれを感知する作動センサー８５を含む松脂吸着施設４０を備えることができ、また、液体松脂３０を収容する収容容器８０、液体松脂３０の投与量を調節する液体調節器１００、収容容器８０と連動して液体松脂を噴射する密閉噴射装置９０、及び液体松脂３０に含有されたエタノール１１０を蒸発させるための冷温送風装置１２０をさらに含むことができる。このような構成によって、上記液体松脂３０の原料が天然または合成纎維織物生地１０または不織布生地２０に吸着されることができる。
【００３７】
また、図２は本発明による松脂吸着技術の他の実施例を示す。図２によれば、松脂吸着装置は、縫製完成された纎維製品３００をかけておくための製品掛け３０７、縫製完成された纎維製品３００を巻いておく回転ローラー６０、縫製完成された纎維製品３００を移送する移送装置の移送ローラー７０、及び縫製完成された纎維製品３００が密閉噴射通過する時、これを感知する作動センサー８５を含む松脂吸着施設４０を含むことができる。また、液体松脂３０を収容する収容容器８０、液体松脂３０の投与量を調節する液体調節器１００、収容容器８０と連動する液体松脂を噴射する密閉噴射装置９０、及び液体松脂３０に含有されたエタノール１１０を蒸発させるための冷温送風装置１２０をさらに含むことができる。このような構成によって、上記液体松脂３０の原料が縫製完成された纎維製品３００に吸着されることができる。
【００３８】
また、本発明によるまた他の実施例による松脂吸着技術は、天然または合成纎維織物生地１０や不織布生地２０または縫製完成された纎維製品３００をかけておく段階、生地や縫製完成された纎維製品３００を巻いておく段階、生地や縫製完成された纎維製品３００を移送する段階、及び生地や縫製完成された纎維製品３００が密閉噴射通過時に、これを感知する段階を含むことができる。また、液体松脂を収容容器８０に収容する段階、液体松脂３０の投与量を調節する段階１００、収容容器８０と連動して液体松脂を噴射する段階９０、及び液体松脂３０に含有されたエタノール１１０を蒸発させる段階１２０をさらに含むことができる。上記液体松脂３０の原料が天然または合成纎維織物生地１０や不織布生地２０または縫製完成された纎維製品３００に吸着されることができる。
【００３９】
具体的に、本発明によって、天然または合成纎維織物生地１０または合成纎維の不織布生地２０を利用してエタノール１１０に溶解された液体松脂３０に生松香８００のテルペン油９００が添加された松脂液を原料として生地に松脂吸着施設４０の構成と連動される施設装置として生地をかけておく生地掛けローラー５０を構成し、生地を巻いておく回転ローラー６０装置を構成する。
【００４０】
また、生地移送装置の移送ローラー７０が複数構成され、液体松脂３０を収容する収容容器８０と連動する松脂液をスプレー噴射する密閉噴射装置９０を構成し、生地が密閉噴射通過時にこれを感知する作動センサー８５を構成して収容容器８０と連動し、密閉噴射装置９０は生地のみ挿入可能な装置で構成され、纎維生地に松脂液を噴射した後、残余液体が収容容器８０に再挿入可能な構造で構成され、液体松脂３０の投与量の液体調節器１００と連動する液体松脂３０に含有されたエタノール１１０の蒸発のための冷温風送風装置１２０を複数構成して、天然抗菌性松脂吸着纎維生地５００の製造方法の技術であり、松脂吸着纎維生地で製造される纎維製品として、マスク製品２００、フィルター製品３３０、纎維パッド８８８製品、化粧品用マスクパック顔シート３０５製品などを製造して用いる。
【００４１】
また、本発明によって、縫製完成された一般の纎維製品３００として、マスク製品２００、フィルター製品３３０、纎維パッド８８８製品、化粧品用マスクパック顔シート３０５製品などの纎維製品を松脂吸着施設４０の製品掛け３０７を構成して吸着する纎維製品を装着し、製品が通過すれば松脂液をスプレー噴射する密閉両面噴射装置３０８を構成し、作動を指示する作動センサー８５を連動構成し、液体松脂量を調節する液体調節器１００を構成し、纎維製品３００が密閉両面噴射装置３０８を通過すれば液体松脂３０を製品両面で自動噴射し、連動する冷温送風装置１２０に自動移送されて、液体松脂３０に含有されたエタノール１１０と水分を強い風で蒸発させて完成される天然抗菌性松脂吸着纎維製品４００を提供することができる。
【００４２】
また、本発明によって、液体松脂３０を纎維織物生地１０、不織布生地２０や縫製完成された纎維製品３００に手動式スプレー噴射器を利用して松脂収容容器８０が連動する噴射器で纎維製品３００に液体松脂３０をスプレー噴射してなる松脂含有纎維生地５００の松脂吸着纎維製品４００を提供することができる。
【００４３】
本発明は纎維生地を生地掛けローラーに装着し、生地が回転ローラーによって解けながら通過すれば噴射器の感知センサーが感知して、備えられた噴射装置で生地に液体松脂を適量噴射し、連動する送風装置に生地が移送されると、稼動される力強い送風装置によって風が生地に送風されて生地に吸着された液体松脂に含有されたエタノールと水分を蒸発させて生地が水分がない状態に乾燥されて完成され、松脂が吸着完成された纎維生地は連動される生地巻き回転ローラーで移送されて生地ロールに巻かれて完成される。
【００４４】
また、他の縫製完成された纎維製品に松脂吸着時に重なった多重の生地が互いに絡み合うことなく独立的に分離され、松脂吸着纎維製品はマスク製品、フィルター製品、纎維パッド製品、化粧品マスクパック顔シート製品などの製品に天然抗菌性松脂を纎維生地や纎維製品に吸着させて有害細菌の増殖を防止し、殺菌力を有し、肌を保護する纎維生地とその製品製造に関する技術を提供する。
【００４５】
本出願人は本発明による製品を韓国標準試験研究員に試験を依頼して試験結果として得た試験成績書を添付する。これによれば、試料１：エアコンフィルター（抗菌処理）、試料２：エアコンフィルター、試料３：空気浄化器（抗菌処理）、試料４：空気浄化器、試料５：浄水器、試料６：浄水器（抗菌処理）、試料７：マスク（抗菌処理）、試料８：マスク、試料１３：液体松脂に対して、二つの接種菌液の濃度７．２ｘ１０３ＣＦＵ／ｍｌ及び３．０ｘ１０６ＣＦＵ／ｍｌを使ってそれぞれ得た静菌減少率（％）を現わす。このような試験成績書で、試料１：エアコンフィルター（抗菌処理）が９９．９％及び９８．９、試料３：空気浄化器（抗菌処理）が９９．９％及び９９．４％、試料６：浄水器（抗菌処理）が９９．９％及び９９．９％及び試料１３：液体松脂９９．９％及び９９．９％の静菌減少率を有することが分かるように、試料１：エアコンフィルター（抗菌処理）、試料３：空気浄化器（抗菌処理）、試料６：浄水器（抗菌処理）の静菌減少率が９８．９％であることが分かる。
【００４６】
［試験成績書］
【００４７】
【表１】
2018066090.tif 000003
【産業上の利用可能性】
【００４８】
松脂含有生地、松脂吸着纎維製品は原材料が松の木で抽出された松脂で天然抗菌性物質であり、マスクの製造に用いられる時、湿度による肌保護と、脱臭効果があり、松脂の粘りを利用した微細黄砂の吸入を低減する効果と、マスクに流入される有害細菌の増殖を防止する効果、及びフィルター製品として空気浄化、室内及び自動車エアコン、浄水器フィルター製品の製造など、その用途が多くて輸出産業に役に立ち、天然抗菌性松脂を吸着した纎維生地と纎維製品は有害細菌増殖防止と肌保護に効果的な技術であり、液体松脂に自然香料成分を添加すれば液体松脂に含有されたエタノールが蒸発されると自然香料成分は松脂に含有されて、纎維生地に固体として吸着されて香料蒸発が防止されて纎維製品に長く自然香が保持されるという利点もある。
【符号の説明】
【００４９】
１０  纎維織物生地
２０  不織布生地
３０  液体松脂
４０  松脂吸着施設
５０  生地掛けローラー
６０  回転ローラー
７０  移送ローラー
８０  収容容器
１００  液体調節器
１１０  エタノール
１２０  送風装置
２００  マスク製品
３００  纎維製品
３３０  フィルター製品
８００  生松香
９００  テルペン油
９９９  壁紙
【図１】
2018066090.tif 000004
【図２】
2018066090.tif 000005
【外国語明細書】
2018066090000001.pdf
2018066090000002.pdf
2018066090000003.pdf
2018066090000004.pdf